(57)【要約】【課題】便利で速かに着用及び分離するように設計されたゴルフクラブヘッドカバーを提供する。【解決手段】ゴルフクラブのヘッドを収容する可撓性素材のヘッド収容部と、ヘッド収容部から長く伸び、ヘッドに隣接したシャフト部を収容するシャフト収容部とを含む。前記シャフト収容部は対向する上くちばし部と下くちばし部からなるくちばし状のものである。前記各シャフト収容部の端開放部の両側地点からヘッド収容部に向かって同一長さに平行に伸びる二つのスロットによって形成される。締結部材が上くちばし部と下くちばし部の各エッジ部に備えられ、磁力によって二つのくちばし部を分離可能に結合させる。前記締結部材は、磁石と、磁石を固定する金属板とを含み、望ましくは、前記金属板は形状記憶合金である。【選択図】図２
2006239416.tif 000002
【特許請求の範囲】
【請求項１】
ゴルフクラブ３０のヘッド３１を収容する可撓性素材のヘッド収容部１１と；
前記ヘッド収容部１１から長く伸び、端開放部１３を含み、ヘッド３１に隣接したシャフト部３２ａを収容するくちばし状のシャフト収容部１２と；
前記シャフト収容部１２の互いに対向する上くちばし部１４と下くちばし部１５を分離可能に結合させる締結部材１６と；
を含むことを特徴とするゴルフクラブヘッドカバー。
【請求項２】
前記上くちばし部１４と下くちばし部１５は、シャフト収容部１２の端開放部１３の両側地点からヘッド収容部１１に向かって同一長さに平行に伸びる二つのスロット１７によって形成されることを特徴とする、請求項１に記載のゴルフクラブヘッドカバー。
【請求項３】
前記締結部材１６は互いに対向する上くちばし部１４と下くちばし部１５の各エッジ部１７ａ、１７ｂに備えられ、シャフト収容部１２内にゴルフクラブのシャフト３２ａが収容されることを邪魔しないことを特徴とする、請求項１に記載のゴルフクラブヘッドカバー。
【請求項４】
前記締結部材１６は磁力によって作用することを特徴とする、請求項１ないし３のいずれか一項に記載のゴルフクラブヘッドカバー。
【請求項５】
前記締結部材１６は、磁石１８と、磁石１８を固定する金属板１９と、金属板１９を包装する織物被覆材２０とを含んでなり、前記被覆材２０が上くちばし部１４と下くちばし部１５の各エッジ部１７ａ、１７ｂに縫着される方法によって固定されることを特徴とする、請求項１ないし３のいずれか一項に記載のゴルフクラブヘッドカバー。
【請求項６】
前記磁石１８は金属板１９上に一列に離隔して配置されることを特徴とする、請求項５に記載のゴルフクラブヘッドカバー。
【請求項７】
前記金属板１９は形状記憶合金からなることを特徴とする、請求項５に記載のゴルフクラブヘッドカバー。
【請求項８】
前記下くちばし部１５の背面側にはポケットカバー２３が備えられ、ポケットカバー２３と下くちばし部１５との間に形成されるポケット２５は、ポケットカバー２３のエッジ部と下くちばし部１５のエッジ部を接合又は分離させる締結部材２４によって閉鎖又は開放されることを特徴とする、請求項１ないし３のいずれか一項に記載のゴルフクラブヘッドカバー。
【請求項９】
前記締結部材２４はジッパーであることを特徴とする、請求項８に記載のゴルフクラブヘッドカバー。
【発明の詳細な説明】
【技術分野】
【０００１】
本発明はゴルフクラブヘッドカバーに係り、ゴルフクラブのうち、特にドライバー又はウッドのヘッドカバー用として好適に使用可能なゴルフクラブヘッドカバーに関するものである。
【背景技術】
【０００２】
図１は特許文献１に開示されたドライバー用ヘッドカバーを示している。この特許文献１に開示されたゴルフクラブヘッドカバー１は、ヘッド収容部２と、ヘッド収容部２から伸びるシャフト収容部３とを一体的に含む。前記シャフト収容部３は、端部に形成された開放口４の一地点からヘッド収容部２側に伸びて“Ｖ”字形に拡開可能なスロット５を持つ。そして、スロット５を形成する両エッジ部を結合させる締結部材６を備えている。同一構成のゴルフクラブヘッドカバーが特許文献２にも開示されている。ただし、締結部材６として、特許文献２においては、フック手段又は磁石を例示しており、特許文献１においては、磁石を用いると限定している。
【０００３】
前記ゴルフクラブヘッドカバー１の構造において、スロット５は“Ｖ”字形に拡開可能であるので、ヘッドカバー１がゴルフクラブのヘッド部分に被せられるかあるいはゴルフクラブのヘッド部分から分離されることができる。しかし、スロット５を全く拡開させるための動作が非常に煩わしく、しかもスロット５が全く拡開されてもゴルフクラブヘッドの出入口が狭いから、ヘッドカバー１の着用及び分離が不便で難しい問題がある。また、着用及び分離に際して、予期せぬ無理な力が加えられれば、スロット５の端部７で破れることが発生することもある。
【特許文献１】米国特許公開第２００５／００１６６４８号明細書
【特許文献２】米国特許第６、８７４、６２７号明細書
【発明の開示】
【発明が解決しようとする課題】
【０００４】
したがって、本発明の目的は、一層便利で速かに着用及び分離することができるゴルフクラブヘッドカバーを提供することにある。
【０００５】
また、本発明のほかの目的は、破損のおそれなしに使用することができるゴルフクラブヘッドカバーを提供することにある。
【課題を解決するための手段】
【０００６】
本発明のこのような目的は、ヘッド収容部から伸びるシャフト収容部を“鳥のくちばし”状にして達成することができる。
【０００７】
本発明によるゴルフクラブヘッドカバーは、ゴルフクラブのヘッドを収容するヘッド収容部と、ヘッド収容部から伸び、ゴルフクラブヘッドに隣接したシャフト部を収容するくちばし状のシャフト収容部とを一体的に含む。前記シャフト収容部は、互いに対向して形成される上くちばし部と下くちばし部とからなる。上くちばし部と下くちばし部は、具体的に、端開放部の両側地点からヘッド収容部に向かって同一長さに平行に伸びる二つのスロットによって形成される。そして、ゴルフクラブヘッドカバーは、前記上くちばし部と下くちばし部を分離可能に結合させる締結部材を含む。
【０００８】
本発明によれば、前記シャフト収容部は、単純に上くちばし部又は下くちばし部を引く動作によって簡単に拡開され、鳥のくちばしが広がるように十分に拡開される。したがって、ヘッドカバーは便利で速かに着用及び分離することができることになるものである。
【発明の効果】
【０００９】
本発明によるゴルフクラブヘッドカバーによれば、上くちばし部又は下くちばし部を引く使用者の動作によって、ゴルフクラブヘッドの出入のための十分な空間を確保することができる。したがって、ヘッドカバーの着用及び分離が便利で速かに行える。また、使用上故障や障害が発生するおそれがないので、従来のものに比べ、寿命が長くなる効果がある。
【発明を実施するための最良の形態】
【００１０】
前記及びそのほかの本発明の特徴及び作用は添付図面を参照する以降の実施形態の説明からより明らかになるであろう。図２〜図７の図において、本発明の実施形態によるゴルフクラブヘッドカバーは符号１０で表示する。
【００１１】
図２及び図３を参照すれば、本発明の実施形態によるゴルフクラブヘッドカバー１０は、ゴルフクラブ３０のヘッド３１を収容するヘッド収容部１１と、前記ヘッド収容部１１から長く伸び、ヘッド３１に隣接したシャフト部３２ａを収容するくちばし状のシャフト収容部１２と、前記シャフト収容部１２の対向する上くちばし部１４と下くちばし部１５を分離可能に結合させる締結部材１６とを含む。前記シャフト収容部１２の端部は、ゴルフクラブのシャフト３２が自由に通過することができる開放部１３をなす。
【００１２】
前記ヘッドカバー１０は可撓性素材から中空状に製作される。もちろん、ヘッド収容部１１の内部空間Ｓ１とシャフト収容部１２の内部空間Ｓ２は互いに連通しており、よってヘッドカバー１０は長く伸びる一つの内部収容空間Ｓを持つ。ヘッド収容部１１の内部空間Ｓ１は外部から遮断されており、シャフト収容部１２の内部空間Ｓ２はくちばしが広がる形状に開放されることができる。
【００１３】
前記締結部材１６は、互いに対向する上くちばし部１４と下くちばし部１５の各エッジ部１７ａ、１７ｂに備えられることにより、シャフト収容部１２内にゴルフクラブのシャフト３２ａが収容されることを邪魔しない。
【００１４】
図４及び図５を参照すれば、上くちばし部１４と下くちばし部１５は、前記開放部１３の両側地点からヘッド収容部１１に向かって同一長さに平行に伸びる二つのスロット１７によって形成される。前記シャフト収容部１２は、このように形成されて互いに対向する上くちばし部１４と下くちばし部１５を含むことにより、図２のようなくちばし状になる。
【００１５】
前記締結部材１６は、各スロット１７を形成する対向エッジ部１７ａ、１７ｂにそれぞれ備えられる。前記締結部材１６は、磁力によって、各スロット１７を形成する両エッジ部１７ａ、１７ｂを分離可能に結合させる。これにより、各スロット１７は拡開又は閉鎖されることができるが、これは、上くちばし部１４と下くちばし部１５が相互接近又は分離されることができることを意味する。
【００１６】
前記締結部材１６は磁石１８を含む。具体的には、磁石１８を固定する金属板１９と、金属板１９を包装する織物被覆材２０とを含み、前記被覆材２０を各エッジ部１７ａ、１７ｂに縫着する方法によって固定される。
【００１７】
図６を参照すれば、前記磁石１８は細長い金属板１９上に一列に離隔して配列され、磁石１８が固定された状態で、金属板１９は被覆材２０で被覆される。図示しないほかの実施形態において、磁石１８は金属板１９なしに離隔して配列されることもでき、長く伸びる単体物であることもできる。しかし、前者の場合には、スロット１７が充分に拡開されることができない欠点があり、後者の場合には、磁石１８が切断されてしまう問題がある。また、両者の場合共に、対応エッジ部１７ａ、１７ｂ間に不整合が発生する問題もある。
【００１８】
したがって、本実施形態においては、磁石１８を金属板１９上に一列に離隔して配列することにより、スロット１７の十分な拡開と磁石１８の耐久力を保障することができる。さらに、磁石１８の磁力が金属板１９全体にわたって伝達され、金属板１９全体が磁石化するので、対応エッジ部１７ａ、１７ｂ間に不整合が発生しない。
【００１９】
望ましくは、前記金属板１９は形状記憶合金からなるプレートである。スロット１７の拡開が繰り返し行われると、金属板１９は元の平たい形態から脱して曲がることができる。したがって、前記金属板１９として、元状への補正が可能な形状記憶合金を使用することが良い。
【００２０】
図７を参照すれば、前記シャフト収容部１４の内部空間Ｓ２は、上くちばし部１４又は下くちばし部１５を引く使用者の動作によって充分に開放される。これにより、ゴルフクラブのヘッド３１はヘッド収容部１１の内部空間Ｓ１に収容されるか又はそれから引き出されることができる。ゴルフクラブのヘッド３１が全く収容されるか又は引き出された後、シャフト収容部１４の内部空間Ｓ２は締結部材１６の磁力によって閉鎖される。
【００２１】
図８を参照すれば、本発明のほかの実施形態によるゴルフクラブヘッドカバーを符号２１で表示する。前記ゴルフクラブヘッドカバー２１は、ヘッドカバー本体２２と、ポケットカバー２３とを含む。ヘッドカバー本体２２は、前述した実施形態で例示したゴルフクラブヘッドカバー１０と同一形態及び構成を持つが、ポケットカバー２３は下くちばし部１５の背面側に備えられる。ポケットカバー２３と下くちばし部１５との間にはポケット２５が形成され、前記ポケット２５はポケットカバー２３のエッジ部と下くちばし部１５のエッジ部を接合又は分離させる締結部材２４によって閉鎖又は開放される。望ましくは、前記締結部材２４はジッパーである。前記ポケット２５は布地、タオル、紙など、厚さの薄い所持品を収納する用途に有用に使用することができる。
【産業上の利用可能性】
【００２２】
本発明は、便利で速かに着用及び分離することができ、破損のおそれなしに使用することができるゴルフクラブヘッドカバーに適用可能である。
【図面の簡単な説明】
【００２３】
【図１】従来技術によるゴルフクラブヘッドカバーの斜視図である。
【図２】本発明の実施形態によるゴルフクラブヘッドカバーの前方斜視図である。
【図３】図２のＡ−Ａ線についての断面図である。
【図４】図２のＢ−Ｂ線についての断面図である。
【図５】図４の‘Ａ’部の拡大図である。
【図６】図２及び図５の締結部材の構成を示す斜視図である。
【図７】図２のゴルフクラブヘッドカバーの使用状態を示す断面図である。
【図８】本発明のほかの実施形態によるゴルフクラブヘッドカバーの後方斜視図である。
【符号の説明】
【００２４】
１０    ヘッドカバー
１１    ヘッド収容部
１２    シャフト収容部
１３    開放部
１４    上くちばし部
１５    下くちばし部
１６    締結部材
１７    スロット
１８    磁石
１９    金属板
２０    被覆材
２３    ポケットカバー
２４    締結部材
２５    ポケット
【図１】
2006239416.tif 000003
【図２】
2006239416.tif 000004
【図３】
2006239416.tif 000005
【図４】
2006239416.tif 000006
【図５】
2006239416.tif 000007
【図６】
2006239416.tif 000008
【図７】
2006239416.tif 000009
【図８】
2006239416.tif 000010